(57)【特許請求の範囲】
【請求項１】
セメント質原料４０〜６０重量％、木毛２０〜５０重量％、建設廃材粉砕物原料５〜４０重量％を含有し、前記建設廃材粉砕物原料がけい酸カルシウム板の廃材粉砕物であることを特徴とする木毛セメント板。
【請求項２】
セメント質原料４０〜６０重量％、木毛２０〜５０重量％、建設廃材粉砕物原料５〜４０重量％を含有し、前記建設廃材粉砕物原料がスレート板の廃材粉砕物であることを特徴とする木毛セメント板。
【請求項３】
セメント質原料４０〜６０重量％、木毛２０〜５０重量％、建設廃材粉砕物原料５〜４０重量％を含有し、前記建設廃材粉砕物原料がけい酸カルシウム板およびスレート板の混在する廃材粉砕物であることを特徴とする木毛セメント板。
【発明の詳細な説明】
【０００１】
【発明の属する技術分野】
この発明は建設廃材の有効利用を図り、木毛セメント板の品質改良を図った木毛セメント板に関する。
【０００２】
【従来の技術】
けい酸カルシウム板、スレート板、スラグせっこう板等の製造工場で発生する廃棄材は細かく粉砕（通常は製品スクラップと称して標準フルイ２．３６０ｍｍ全通過程度に粉砕）したものを、それぞれ同品種の製品に混和材原料として配合利用されている。しかし、その配合量には上限があり、再利用出来ない分および建設現場で発生する廃棄材または建物解体により発生する廃棄材は、建設廃材として処分場に運ばれ処理されている。
【０００３】
一方、木毛セメント板についてはセメント、木毛を主原料とし、これに充填材、骨材及び軽量化材として無機質粉体を添加したものがあるが、建築廃材の粉砕物を添加したもの及び建築廃材の粉砕物の添加で品質改良を試みたものは見当たらない。
【０００４】
【発明が解決しようとする課題】
資源・環境問題が深刻化しつつある中で、産業界の今後の方向は、それぞれの業界で発生する廃棄物はそれぞれの業界でリサイクルし、産業廃棄物を出来るだけ出さないことである。
【０００５】
スレート板等の製造工場で発生する端材等の廃棄材は細かく粉砕し、スレート板等のそれぞれの板の混和材原料（通常は製品スクラップと称する混和材）として配合して再利用されている。しかし、再利用量は製品品質の観点から配合量に限度があり、発生する端材等の廃棄材の全量ではない。製造工場で利用しきれない廃棄材は、建設現場及び建物解体等により発生する廃棄材と同様に産業廃棄物として処分場へ運ばれて処理されている。
【０００６】
前記の如く、それぞれの業界で発生する廃棄物はそれぞれの業界でリサイクルし、産業廃棄物を出来るだけ出さないことが必須となっている。
【０００７】
スレート板等の製造工場で利用しきれない廃棄材、建設現場及び建物解体等により発生する廃棄材の再利用方法が重要な課題となっている。
【０００８】
一方、一般的に波形スレートと組み合わせて屋根の断熱材として使用されている木毛セメント板は、ある程度の断熱性や吸音性はあるもののやや強度が弱く遮音性に劣っている。木毛セメント板は近年波形スレートの減少と軌を一にするかのようにその出荷量の減少は顕著である。木毛セメント板の出荷量の減少をくい止めるにはその用途を拡大する必要があり、そのためには先に挙げた欠点すなわち強度が弱い点および遮音性に劣っている点を改良する必要がある。
【０００９】
本発明は、スレート板等の製造工場で利用しきれない廃棄材、建設現場及び建物解体等により発生する廃棄材の再利用方法の検討と木毛セメント板の用途を拡大のための品質改良の検討とからなされた発明であり、その目的は、木毛セメント板の品質改良と建設廃材の再利用である。
【００１０】
【課題を解決するための手段】
この目的を達成するために、本発明は、木毛セメント板が、セメント質原料４０〜６０重量％、木毛質材料２０〜５０重量％、建設廃材粉砕物原料５〜４０重量％を含有するものであって、請求項１記載の発明は、上記建設廃材粉砕物原料がけい酸カルシウム板の廃材粉砕物であり、請求項２記載の発明は、上記建設廃材粉砕物原料がスレート板の廃材粉砕物であり、請求項３記載の発明は、上記建設廃材粉砕物原料がけい酸カルシウム板およびスレート板の混在する廃材粉砕物であることを特徴とする。
【００１１】
建設廃棄物の粉砕物の大きさは特に限定されず、粗目の粉砕物は１０〜３０ｍｍ径のものから、また細かめの粉砕物は粉体状のものまで混在している。これら粉砕物が木毛セメント板の空隙部を埋めることにより、木毛セメント板の強度向上および遮音性能の向上に働くことになる。
【００１２】
通常、材料の曲げ強さを見るために、材料を二つの支点で支えて中央部上方から力を加えた場合、材料の中立軸に対して上側には圧縮力が働き、下側には引っ張り力が働く。通常の木毛セメント板は空隙部が多く木毛が主体であるから、引っ張り力に対しては抵抗できるが圧縮力に対しては抵抗力が小さく、引っ張り力と圧縮力に対する抵抗力のバランスが悪い。廃材粉砕物を配合した木毛セメント板はその空隙部を、粗・細の粉砕物が埋めることにより圧縮力に抵抗する力が増加し、引っ張り力および圧縮力に対する抵抗力のバランスが良くなり曲げ強さが向上する。
【００１３】
また、材料の吸音と遮音については、材料への入射エネルギーをＥ1 、材料から反射されるエネルギーをＥ2 、材料を透過するエネルギーをＥ3 、材料で吸収されるエネルギーをＥ4 とすると、Ｅ1 ＝Ｅ2 ＋Ｅ3 ＋Ｅ4 で表されるが、吸音率は反射する音を除いた音と入射した音の比であるから、
【００１４】
【数１】
0004205784.tif 000002
と表わされる。通常の木毛セメント板は空隙が多いからＥ3 が大きい。したがって、木毛セメント板は一般的に吸音率の大きい吸音材料として取り扱われる。一方、遮音性能を表わすには音を遮断する程度を比較することが必要となる。音響的には逆に材料を透過する量から計算することになっている。すなわち、
音響透過率＝Ｅ3 ／Ｅ1   であるから
【００１５】
【数２】
0004205784.tif 000003
この音響透過損失が大きいほど、つまり音響透過率が小さいほど遮音性が高い。したがって、遮音性能を良くするためには音響透過率を小さくする、つまり、透過エネルギーＥ3 を小さくすることが必要となる。これは木毛セメント板の空隙部を粗・細の粉砕物で埋めることにより達成できる。
【００１６】
建設廃材粉砕物原料は、けい酸カルシウム板の廃材粉砕物（請求項１）、スレート板の廃材粉砕物（請求項２）、あるいはこれらの混在粉砕物（請求項３）である。
【００１７】
木毛セメント板の空隙は大・小いろいろあり、それらの空隙を適当に埋めるためには粉砕物の大きさは、粗いものは１０〜３０ｍｍ径のものから細かいものは粉体状のものまで混在していることが好ましいから、本発明の木毛セメント板に使用する建設廃材粉砕物原料はスレート板等の製造に使用する混和材（製品スクラップ）の如く細かく粉砕する必要がなく、鬼歯ロールと称する粗めの粉砕機によって粉砕された粉砕物（粗めの粉砕物と細目の粉砕物との混在物）が利用できる。
【００１８】
この粉砕物は粗めの粉砕物として１０〜３０ｍｍ径の鱗片状粉砕物から細かめの粉砕物として粉体状の粉砕物が混在したものが利用でき、粉砕物の大きさの分布には特に限定されない。また粉砕方法も特に限定されるものでない。
【００１９】
【実施例】
以下、本発明に係る木毛セメント板の一実施例について詳細に説明する。実施例１は原料配合比を、セメント質原料：木毛質原料：けい酸カルシウム板廃棄材粉砕原料＝５０：４０：１０とし、実施例２は原料配合比を、セメント質原料：木毛質原料：スレート板廃棄材粉砕原料＝４５：４０：１５とし、通常の木毛セメント板の製造方法で２５ｍｍ厚さの木毛セメント板を製造した。
【００２０】
実施例１および２の特殊木毛セメント板の品質は表−１の通りである。
【００２１】
【表１】
0004205784.tif 000004
【００２２】
実施例のものは、廃棄材粉砕物の細かいものは細部に、荒いものは骨材的に木毛の隙間を埋めることにより、木毛セメント板の強度アップ及び遮音性能を向上しているものと推察される。
【００２３】
【発明の効果】
本発明は、スレート等の建設廃材の粉砕物を原料としてリサイクル有効活用することができ、建設廃材を減少する環境に優しい木毛セメント板であり、且つ、安価に木毛セメント板の品質を向上することができ、製品の用途拡大ができる。環境改善効果、経済的効果を大幅に向上することができる。